(57)【要約】【課題】  液晶の配向むら、膜厚むら等により生じる非線形な光強度分布の不均一性を補間する。【解決手段】  表示画面の画素数Ｘ及び画素数Ｙを各々等間隔で分割した各画素分割点の位置情報を記憶する分割点情報記憶手段と、液晶表示装置の最大階調数を等間隔で分割した各階調分割点毎に設定された階調補正値を記憶する階調補正値記憶手段と、階調補正値記憶手段に記憶される階調補正値に基づいて、入力された画像信号の各画素分割点毎の階調レベル補間信号を生成する階調レベル判断手段と、画像信号の画素位置と画素分割点の位置とのｘ軸方向の距離を求め、求められた距離に基づいて階調レベル補間信号から水平方向補間信号を生成する水平方向補間手段と、画像信号の画素位置と画素分割点の位置とのｙ軸方向の距離を求め、求められた距離に基づいて水平方向補間信号から液晶表示装置に表示させる画像信号を生成する垂直方向補間手段とを備える。【選択図】      図１
2005157285.tif 000002
【特許請求の範囲】
【請求項１】
一辺の画素数をＸ、他辺の画素数をＹとしてマトリクス状に表示画素を配列する第１の基板と、第１の基板に平行する第２の基板と、前記第１の基板及び前記第２の基盤との間に封入した液晶とを備え、前記第１の基板と前記第２の基盤との間に電圧を印加することで画像表示を行う液晶表示装置において、
前記画素数Ｘを等間隔で（Ｍ−１）分割（１≦Ｍ≦Ｘ）するとともに、前記画素数Ｙを等間隔で（Ｎ−１）分割（１≦Ｎ≦Ｙ）して成る各画素分割点の位置情報をそれぞれ記憶する分割点情報記憶手段と、
前記画素分割点毎に、前記液晶表示装置のもつ最大階調数を等間隔で分割した各階調分割点毎に特別に入力されたテスト信号に基づいて予め設定された階調補正値を記憶する階調補正値記憶手段と、
画像信号が入力された場合、前記階調補正値記憶手段に記憶される階調補正値に基づいて、入力された前記画像信号の各画素分割点毎の階調レベル補間信号を生成する階調レベル判断手段と、
前記入力された画像信号の画素位置と画素分割点の位置とのｘ軸方向の距離を求め、求められたｘ軸方向の距離に基づいて前記階調レベル補間信号から水平方向補間信号を生成する水平方向補間手段と、
前記入力された画像信号の画素位置と画素分割点の位置とのｙ軸方向の距離を求め、求められたｙ軸方向の距離に基づいて前記水平方向補間信号から前記液晶表示装置に表示させる画像信号を生成する垂直方向補間手段と、
を備えることを特徴とする液晶表示装置。
【請求項２】
一辺の画素数をＸ、他辺の画素数をＹとしてマトリクス状に表示画素を配列する第１の基板と、第１の基板に平行する第２の基板と、前記第１の基板及び前記第２の基盤との間に封入した液晶とを備え、前記第１の基板と前記第２の基盤との間に電圧を印加することで画像表示を行う液晶表示装置において、
前記画素数Ｘを等間隔で（Ｍ−１）分割（１≦Ｍ≦Ｘ）するとともに、前記画素数Ｙを等間隔で（Ｎ−１）分割（１≦Ｎ≦Ｙ）して成る各画素分割点の位置情報をそれぞれ記憶する分割点情報記憶手段と、
前記画素分割点毎に、前記液晶表示装置のもつ最大階調数を不等間隔で分割した各階調分割点毎に特別に入力されたテスト信号に基づいて予め設定された階調補正値を記憶する階調補正値記憶手段と、
画像信号が入力された場合、前記階調補正値記憶手段に記憶される階調補正値に基づいて、入力された前記画像信号の各画素分割点毎の階調レベル補間信号を生成する階調レベル判断手段と、
前記入力された画像信号の画素位置と画素分割点の位置とのｘ軸方向の距離を求め、求められたｘ軸方向の距離に基づいて前記階調レベル補間信号から水平方向補間信号を生成する水平方向補間手段と、
前記入力された画像信号の画素位置と画素分割点の位置とのｙ軸方向の距離を求め、求められたｙ軸方向の距離に基づいて前記水平方向補間信号から前記液晶表示装置に表示させる画像信号を生成する垂直方向補間手段と、
を備えることを特徴とする液晶表示装置。
【請求項３】
請求項１又は２に記載された液晶表示装置において、
シェーディング補正を行なった前記画像信号に対して階調補正する階調補正手段を備えることを特徴とする液晶表示装置。
【請求項４】
請求項１乃至３のいずれか１に記載された液晶表示装置において、前記階調レベル判断手段では、隣り合う２つの階調分割点を利用した直線補間を行うことを特徴とする液晶表示装置。
【発明の詳細な説明】
【技術分野】
【０００１】
本発明は、投射型ディスプレイやビューファインダ、ヘッドマウントディスプレイ等に用いられる液晶表示装置に関し、特に液晶の配向むら、膜厚むら等により生じる非線形な光強度分布の不均一性を補間した高画質の液晶表示装置に関する。
【背景技術】
【０００２】
一般的に、液晶表示装置では、表示画素上の液晶の配向むらや膜厚むらが原因となり、表示画像面上の光強度分布の不均一性を生じるという問題がある。
【０００３】
従来の液晶表示装置では、例えば図１６に示すようにガンマ補正手段３０１、重量シェーディング補正手段３０２、変調シェーディング補正手段３０３を設けて不均一性を補正していた。
【０００４】
図７及び図８に示す表示画面２０を用いて、従来の液晶表示装置の補正について説明する。
【０００５】
図７は液晶表示装置１００の表示画面２０を示している。表示画面２０は、水平方向の一辺が等間隔に（M−1）分割、垂直方向の他辺が等間隔に（Ｎ−１）分割されている。たとえば、図７に示す例では水平方向、垂直方向ともに１０分割されている。このとき、分割の対象とされた各点を画素分割点Ｐ（ｍ，ｎ）とする。
【０００６】
例えば、図７に示すように水平及び垂直方向にそれぞれ１０分割した場合には画素分割点Ｐ（１，１）から画素分割点Ｐ（１１，１１）まで１２１の画素分割点ができる。また、このときのｍは１≦ｍ≦（Ｍ−１）、ｎは１≦ｎ≦（Ｎ−１）の条件で定められている。
【０００７】
図８は図７の一部拡大図２０ａである。図８では、表示画面２０上の一画素を画面上のｘ座標、ｙ座標を用いた画素Ｇ（ｘ，ｙ）とし、この画素Ｇ（ｘ，ｙ）を囲む４つの画素分割点をＰ（ｍ，ｎ）、Ｐ（ｍ＋１，ｎ）、Ｐ（ｍ，ｎ＋１）、Ｐ（ｍ＋１，ｎ＋１）としている。この４つの画素分割点Ｐ（ｍ，ｎ）、Ｐ（ｍ＋１，ｎ）、Ｐ（ｍ，ｎ＋１）、Ｐ（ｍ＋１，ｎ＋１）は、画素Ｇ（ｘ，ｙ）の他にも例えば画素Ｇ（ｘ−１，ｙ）や画素Ｇ（ｘ＋１，ｙ＋１）等の複数の画素を囲んでいる。また、画素Ｇ（ｘ，ｙ）は表示画面２０が水平方向にＸ画素、垂直方向にＹ画素の場合には１≦ｘ≦Ｘ、１≦ｙ≦Ｙとして定められる。
【０００８】
＜ガンマ補正処理＞
従来の一例として図１６に示す一連の補正方法として先ず始めに、ガンマ補正手段３０１に表示画像における表示画素の位置を表す画素（ｘ，ｙ）に対応した画像信号Ｓ（ｘ，ｙ）が入力される。一般的に液晶表示装置では、画像信号に対して液晶で生じる印加電圧に対して非線形な光変調率（ＶＴ特性）により誤差が発生する問題がある。図１６には図示されていないが、ガンマ補正手段３０１には、このＶＴ特性で発生した光変調率の誤差に対して階調補正処理を行うための階調補正値が予め記憶されている。この階調補正値を利用して、非線形な光変調率に関する誤差を補正するガンマ補正処理が行われる。また、ガンマ補正処理後の信号は出力信号ＳＧ（ｘ，ｙ）となり、次の重量シェーディング補正手段３０２に供給される。
【０００９】
＜重量シェーディング補正処理＞
重量シェーディング補正手段３０２では、液晶配向膜の配向むら、液晶の膜厚むらなどの原因によって生じる各表示画素の液晶の閾値電圧の差異を補正する重量シェーディング補正処理が行われる。
【００１０】
重量シェーディング補正手段３０２には図示しないメモリに、予め各画素分割点に対して閾値電圧の差異の補正値として、ＳＴＣ＿Ｐ（ｍ，ｎ）、ＳＴＣ＿Ｐ（ｍ＋１，ｎ）、ＳＴＣ＿Ｐ（ｍ，ｎ＋１）、ＳＴＣ＿Ｐ（ｍ＋１，ｎ＋１）が保持されている。この補正値を用いて式１及び式２が並列的に演算された後、式３に続いて式４を実行させることで、重量シェーディング補正処理を行い、出力信号ＳＳ（ｘ，ｙ）が求められる。信号ＳＳ（ｘ，ｙ）は変調シェーディング補正手段３０３に入力供給される。
【００１１】
（数１）
ＳＴＣ１（ｘ，ｙ）＝ＳＴＣ＿Ｐ（ｍ，ｎ）＋｛ＳＴＣ＿Ｐ（ｍ＋１，ｎ）−ＳＴＣ＿Ｐ（ｍ，ｎ）｝＊（ｘ−ｍ）／｛ｘ／（ｍ−１）｝・・・（１）
ＳＴＣ１（ｘ，ｙ＋１）＝ＳＴＣ＿Ｐ（ｍ，ｎ＋１）＋｛ＳＴＣ＿Ｐ（ｍ＋１，ｎ＋１）−ＳＴＣ＿Ｐ（ｍ，ｎ＋１）｝＊（ｘ−ｍ）／｛（ｘ／（ｍ−１）｝・・・（２）
ＳＴＣ２（ｘ，ｙ）＝ＳＴＣ１（ｘ，ｙ）＋｛ＳＴＣ１（ｘ，ｙ＋１）−ＳＴＣ１（ｘ，ｙ）｝＊（ｙ−ｎ）／｛ｙ／（ｎ−１）｝・・・（３）
ＳＳ（ｘ，ｙ）＝ＳＴＣ２（ｘ，ｙ）＋ＳＧ（ｘ，ｙ）・・・（４）
＜変調シェーディング補正処理＞
変調シェーディング補正手段３０３では、液晶配向膜の配向むら、液晶の膜厚むらなどの原因によって生じる各表示画素の液晶の光変調動作の差異を補正する変調シェーディング補正処理が行われる。
【００１２】
変調シェーディング補正手段３０３においても各画素分割点に対して光変調動作の差異の補正値として予め、図示しないメモリにＤＹＮ＿Ｐ（ｍ，ｎ）、ＤＹＮ＿Ｐ（ｍ＋１，ｎ）、ＤＹＮ＿Ｐ（ｍ，ｎ＋１）、ＤＹＮ＿Ｐ（ｍ＋１，ｎ＋１）が保持されている。
【００１３】
変調シェーディング補正手段３０３ではこの記憶される補正値を用いて式５及び式６が並列的に演算され、求められた値により式７に続いて重量シェーディング補正手段３０２において出力された信号ＳＳ（ｘ，ｙ）を利用して式８を実行して変調シェーディング処理が行われ、出力信号ＳＤ（ｘ，ｙ）が算出される。
【００１４】
（数２）
ＤＹＮ１（ｘ，ｙ）＝ＤＹＮ＿Ｐ（ｍ，ｎ）＋｛ＤＹＮ＿Ｐ（ｍ＋１，ｎ）−ＤＹＮ＿Ｐ（ｍ，ｎ）｝＊（ｘ−ｍ）／｛ｘ／（ｍ−１）｝・・・（５）
ＤＹＮ１（ｘ，ｙ＋１）＝ＤＹＮ＿Ｐ（ｍ，ｎ＋１）＋｛ＤＹＮ＿Ｐ（ｍ＋１，ｎ＋１）−ＤＹＮ＿Ｐ（ｍ，ｎ＋１）｝＊（ｘ−ｍ）／｛ｘ／（ｍ−１）｝・・・（６）
ＤＹＮ２（ｘ，ｙ）＝ＤＹＮ１（ｘ，ｙ）＋｛ＤＹＮ１（ｘ，ｙ＋１）−ＤＹＮ１（ｘ，ｙ）｝＊（ｙ−ｎ）／｛ｙ／（ｎ−１）｝・・・（７）
ＳＤ（ｘ，ｙ）＝ＤＹＮ２（ｘ，ｙ）＊ＳＳ（ｘ，ｙ）・・・（８）
変調シェーディング補正手段３０３の出力信号ＳＤ（ｘ，ｙ）は表示画像信号Ａ（ｘ，ｙ）として変換され、省略する液晶駆動用信号レベルに変換するレベル変換処理を行った後に、表示画像信号Ｖ（ｘ，ｙ）として表示素子に入力され、画像表示される。
【００１５】
また、これらの処理において、一般的にメモリのアドレスに入力、データを出力としたＬＵＴ（Ｌｏｏｋ  Ｕｐ  Ｔａｂｌｅ）が用いられている。
【特許文献１】特開平７−３２５３０８
【特許文献２】特開２０００−２０６５４４
【発明の開示】
【発明が解決しようとする課題】
【００１６】
上述したように、図１６に示す従来の液晶表示装置ではガンマ補正手段３０１において、ＶＴ特性で発生した誤差に対して予め記憶する階調補正値を利用して補正処理を行っている。
【００１７】
しかし、従来の階調補正値には初期配向させる配向膜の配向むら、液晶に入射する光と液晶の膜厚むらで生じる干渉縞について補正するに際して、各画素の位置情報は考慮されていないために液晶の配向むら、膜厚むらに対する補正は不十分であった。
【００１８】
特許文献１にはスペーサの脱離制御により、画質を向上させる技術が記載され、特許文献２には封止剤中の汚染物質に起因する液晶の汚染を制御することで画質を向上させる技術が記載されているが、表示画面に基づいて画像信号を補正する技術は考慮されていない。
【００１９】
そこで本発明は上記事情に鑑み、従来と比較して前記不均一性を補正した高画質の液晶表示装置の提供を目的としている。
【課題を解決するための手段】
【００２０】
上記の目的を達成するために請求項１の発明は、一辺の画素数をＸ、他辺の画素数をＹとしてマトリクス状に表示画素を配列する第１の基板と、第１の基板に平行する第２の基板と、前記第１の基板及び前記第２の基盤との間に封入した液晶とを備え、前記第１の基板と前記第２の基盤との間に電圧を印加することで画像表示を行う液晶表示装置において、前記画素数Ｘを等間隔で（Ｍ−１）分割（１≦Ｍ≦Ｘ）するとともに、前記画素数Ｙを等間隔で（Ｎ−１）分割（１≦Ｎ≦Ｙ）して成る各画素分割点の位置情報をそれぞれ記憶する分割点情報記憶手段と、前記画素分割点毎に、前記液晶表示装置のもつ最大階調数を等間隔で分割した各階調分割点毎に特別に入力されたテスト信号に基づいて予め設定された階調補正値を記憶する階調補正値記憶手段と、画像信号が入力された場合、前記階調補正値記憶手段に記憶される階調補正値に基づいて、入力された前記画像信号の各画素分割点毎の階調レベル補間信号を生成する階調レベル判断手段と、前記入力された画像信号の画素位置と画素分割点の位置とのｘ軸方向の距離を求め、求められたｘ軸方向の距離に基づいて前記階調レベル補間信号から水平方向補間信号を生成する水平方向補間手段と、前記入力された画像信号の画素位置と画素分割点の位置とのｙ軸方向の距離を求め、求められたｙ軸方向の距離に基づいて前記水平方向補間信号から前記液晶表示装置に表示させる画像信号を生成する垂直方向補間手段とを備えることを特徴とを備えることを特徴としている。
【００２１】
上記構成による本発明によれば、階調補正の補正値として、各液晶表示装置の配向むら、膜厚むらの特徴に応じ各画素の位置情報を考慮した補正値を予め記憶している。そのため、従来の補正では十分に解決できなかった液晶の配向むら、膜厚むら等により生じる光強度分布が非線形な問題を解決することができる。
【００２２】
また、請求項２の発明は、一辺の画素数をＸ、他辺の画素数をＹとしてマトリクス状に表示画素を配列する第１の基板と、第１の基板に平行する第２の基板と、前記第１の基板及び前記第２の基盤との間に封入した液晶とを備え、前記第１の基板と前記第２の基盤との間に電圧を印加することで画像表示を行う液晶表示装置において、前記画素数Ｘを等間隔で（Ｍ−１）分割（１≦Ｍ≦Ｘ）するとともに、前記画素数Ｙを等間隔で（Ｎ−１）分割（１≦Ｎ≦Ｙ）して成る各画素分割点の位置情報をそれぞれ記憶する分割点情報記憶手段と、前記画素分割点毎に、前記液晶表示装置のもつ最大階調数を不等間隔で分割した各階調分割点毎に特別に入力されたテスト信号に基づいて予め設定された階調補正値を記憶する階調補正値記憶手段と、画像信号が入力された場合、前記階調補正値記憶手段に記憶される階調補正値に基づいて、入力された前記画像信号の各画素分割点毎の階調レベル補間信号を生成する階調レベル判断手段と、前記入力された画像信号の画素位置と画素分割点の位置とのｘ軸方向の距離を求め、求められたｘ軸方向の距離に基づいて前記階調レベル補間信号から水平方向補間信号を生成する水平方向補間手段と、前記入力された画像信号の画素位置と画素分割点の位置とのｙ軸方向の距離を求め、求められたｙ軸方向の距離に基づいて前記水平方向補間信号から前記液晶表示装置に表示させる画像信号を生成する垂直方向補間手段とを備えることを特徴としている。
【００２３】
上記構成による本発明によれば、階調補正の補正値として、各液晶表示装置の配向むら、膜厚むらの特徴に応じ各画素の位置情報を考慮した補正値を予め記憶している。そのため、従来の補正では十分に解決できなかった液晶の配向むら、膜厚むら等により生じる光強度分布が非線形な問題を解決することができる。また、光強度の特性に基づいて不等階調で階調分割点を定めた補正により、光強度分布の不均一性を改善することができる。
【００２４】
さらに、請求項３記載の発明は、請求項１又は２に記載された液晶表示装置において、シェーディング補正を行なった前記画像信号に対して階調補正する階調補正手段を備えることを特徴としている。
【００２５】
上記構成による本発明によれば、階調補正とシェーディング補正を別々の処理とすることで、階調分割点を減らすことができるとともに、容易に光強度分布の不均一性を補正することが可能になる。
【００２６】
また、請求項４の発明は、請求項１乃至３に記載されたいずれか１の液晶表示装置において、前記階調レベル判断手段では、隣り合う２つの階調分割点を利用した直線補間をすることを特徴としている。
【発明の効果】
【００２７】
本発明によれば、階調補正の補正値として、各液晶表示装置の配向むら、膜厚むらの特徴に応じた補正値を、各画素の位置情報を考慮して予め記憶し、使用して補間処理を行っているため、液晶の配向むら、膜厚むら等により生じる非線形な光強度分布の不均一性を補間することができる。
【００２８】
また、表示画面を分割し、最大階調数を分割して階調分割点を設けて補正値を記憶していることにより、システムを簡素化して高画質の液晶表示装置を提供することが可能になる。
【発明を実施するための最良の形態】
【００２９】
図１は本発明に係る液晶表示装置１００の補正処理を表すブロック図である。図１に示される補正処理を説明する前に、図２に示す一般的な液晶表示装置１００の構成例について説明する。
【００３０】
図２に示す液晶表示装置１００では、液晶マトリクス上に水平方向にＸ個、垂直方向にＹ個配置される画素部１０３が列信号電極駆動回路１０１と行走査電極駆動回路１０２に接続されている。画素部１０３はトランジスタ１０４、補助容量１０５、画素電極１０６、液晶１０８、共通電極１０７により構成される。ここでは、１列１行目のトランジスタ１０４はＴｒ（１，１）、補助容量１０５はＣs（１，１）と表す。
【００３１】
列信号電極駆動回路１０１は図３に示すように、複数のフリップフロップ２０１からなるシフトレジスタ２０２と複数のアナログスイッチ２０３により構成される。
【００３２】
画像表示の際に列信号電極駆動回路１０１には表示画像信号に同期した列方向同期信号（以下、水平同期信号と称す）ＨＳＴとクロックＨＣＫ及び、表示画像信号Ｖ（ｘ，ｙ）が入力される。
【００３３】
入力された水平同期信号ＨＳＴとクロックＨＣＫはシフトレジスタ２０２に入力される。フリップフロップＦＦ11はクロックＨＣＫに同期して水平同期信号ＨＳＴをラッチ出力する。さらに、フリップフロップＦＦ12は同様にクロックＨＣＫに同期してフリップフロップＦＦ11の出力をラッチ出力する。
【００３４】
フリップフロップ２０１の出力はアナログスイッチ２０３の開閉を制御する。アナログスイッチ２０３は、データ線Ｄに接続され、表示画像信号Ｖ（ｘ，ｙ）をデータ線Ｄに出力する。例えば、フリップフロップＦＦ11の出力はアナログスイッチ２０３を作動し、データ線Ｄ1に出力する。同様にフリップフロップＦＦ12の出力に応じてデータ線Ｄ2に表示画像信号をスイッチする。データ線Ｄ1からデータ線ＤXは、各画素部１０３のトランジスタ１０４のソースに接続されている。
【００３５】
また、行走査電極駆動回路１０２は図４に示すように、複数のフリップフロップ２０５からなるシフトレジスタ２０６により構成される。
【００３６】
この行走査電極駆動回路１０２には表示画像信号に同期した行方向同期信号（以下、垂直同期信号と称す）ＶＳＴとラインクロックＶＣＫが入力される。入力された垂直同期信号ＶＳＴとラインクロックＶＣＫはシフトレジスタ２０６に入力される。フリップフロップＦＦ21はラインクロックＶＣＫに同期して垂直同期信号ＶＳＴをラッチ出力する。さらに、フリップフロップＦＦ22は同様にＶＣＫに同期してフリップフロップＦＦ21の出力をラッチ出力する。
【００３７】
フリップフロップ２０５の出力はトランジスタ１０４のゲートに接続されるゲート線Ｇに入力される。例えば、フリップフロップＦＦ21の出力はゲート線Ｇ１、フリップフロップＦＦ22の出力はゲート線Ｇ2となり、これらゲート線Ｇ1からゲート線ＧYは、各画素部のトランジスタ１０４のゲートに接続されている。
【００３８】
以上の構成を以って、各画素部のトランジスタ１０４は表示画像信号Ｖ（ｘ，ｙ）に同期してトランジスタ１０４をオンするため、補助容量１０５は表示画像信号と共通電極ＣＯＭとの電位差を蓄積すると共に、画素電極１０６に表示画像信号と共通電極ＣＣとの電位差を液晶１０８に印加する。液晶１０８は前記電位差で生じる電界強度に応じて電界複屈折を生じ、図示しない偏光光学系を以って表示画面２０上で光強度による画像表示を行っている。
【００３９】
［第１の実施例］
以下、図面を参照して本発明の第１の実施例について説明する。
【００４０】
図１のブロック図に示されるように本発明の補間演算の一連の処理を行うために、本発明に係る液晶表示装置１００は、階調レベル判断手段１０、水平方向補間手段１１、垂直方向補間手段１２、分割点情報記憶手段１３、階調補正値記憶手段１４を備えている。
【００４１】
階調レベル判断手段１０、水平方向補間手段１１、垂直方向補間手段１２は入力された画像信号に対して補間演算の一連の処理としてそれぞれ階調レベル判断処理、水平方向補間処理、垂直方向補間処理を行う手段である。
【００４２】
分割点情報記憶手段１３には、表示画面２０上の画素数Ｘである一辺（水平方向）を等間隔に（Ｍ−１）分割（１≦Ｍ≦Ｘ）し、前記表示画面上の画素数Ｙである他辺（垂直方向）を等間隔に（Ｎ−１）分割（１≦Ｎ≦Ｙ）したときの分割点情報が記憶されている。
【００４３】
分割点情報とは、各画素分割点の位置情報（座標情報）である。また、水平方向補間手段１１また垂直方向補間手段１２で補間処理が行われるときには、この分割点位置情報と各画素の座標情報とからその距離を求めて利用される。
【００４４】
この分割数（Ｍ−１）と分割数（Ｎ−１）は予め補正精度を考慮して定めるものである。また、階調補正値記憶手段１４には、各画素分割点について予め液晶表示装置ごとに測定されて設定された階調補正値Ｌが記憶されている。階調補正値Ｌを求めるためには、補正値測定用の特別なテスト信号が入力され、このテスト信号に基づいて補正値が定められる。各階調補正値Ｌは、各画素分割点について画像信号の最大階調数Ｄmaxを等階調に（Ｔ−１）分割した階調分割点に対して設定されている。Ｔは１≦Ｔ≦Ｄmaxの整数である。
【００４５】
図７は従来技術と同様に本発明の表示画面２０を示している。図７に示す水平・垂直方向ともに１０分割した表示画面２０について、水平方向画素数が８００の場合においてＭ＝９とした場合を例にすると、水平方向の各画素分割点間の数は８００／（９−１）＝１００画素となる。階調補正値は画素分割点単位で設定されているために、1つの階調補正値で補正する範囲は水平方向に１００画素となる。また、例えばＭ＝１０１とした場合には、水平方向の各画素分割点間の数は８００／（１０１−１）＝８画素となる。すなわち、このときに1つの階調補正値が補正する範囲は水平方向には８画素となるため、Ｍ＝９に設定した場合よりも高精度の補正が実現できる。しかし、画素分割点ごとに階調補正値を設定する為、Ｍ＝１０１とした場合の方が予め記憶する階調補正値の数が多くなり、システムを簡素化できないという反面もある。従って、分割数（Ｍ−１）、（Ｎ―１）は補正精度とともに、システム構成（コスト）を考慮しながら定めている。
【００４６】
また、1≦ｘ≦Ｘである水平方向画素番号ｘと、１≦ｙ≦Ｙある垂直方向画素番号ｙを用いて、表示画面２０上の画素をＧ（ｘ，ｙ）と表す。この画素Ｇ（ｘ，ｙ）は図８に示す一部拡大図２０aのように、４つの画素分割点Ｐ（ｍ，ｎ）、Ｐ（ｍ＋１，ｎ）、Ｐ（ｍ，ｎ＋１）、Ｐ（ｍ＋１，ｎ＋１）に囲まれている。
【００４７】
分割点情報記憶手段１３に記憶されている情報として例えば、Ｇ（ｘ，ｙ）とした場合に対する４つの画素分割点Ｐ（ｍ，ｎ）、Ｐ（ｍ＋１，ｎ）、Ｐ（ｍ，ｎ＋１）、Ｐ（ｍ＋１，ｎ＋１）等の位置に関する情報である。
【００４８】
階調補正値Ｌについて、図５の階調補正値Ｌと階調分割点ｔを示すグラフを用いて説明する。画素分割点Ｐ（ｍ，ｎ）に対する階調分割点ｔの場合の補正値を、階調補正値Ｌ（ｔ，ｍ，ｎ）と表している。このとき、分割数（Ｔ−１）に対して階調分割点ｔの値は、１≦ｔ≦（Ｔ−１）である。上述もしたように階調補正値Ｌ（ｔ，ｍ，ｙ）は、予め各頂点に対して表示画像面上の光強度分布を均一にするための値を設定するものとして液晶表示装置ごとに予め設定され、記憶されている。予め定められる階調分割点から、入力される信号の階調数に対し、両端の階調分割点を判断し、対応する階調補正値Ｌを求める。
【００４９】
＜階調レベル判断処理＞
階調レベル判断手段１０に入力信号Ｓ（ｘ，ｙ）が入力されると、入力信号Ｓ（ｘ，ｙ）に対する階調補正値Ｌを、
Ｌ（ｔ，ｍ，ｙ）≦Ｓ（ｘ，ｙ）＜Ｌ（ｔ＋１，ｍ，ｙ）
とするとき、例えば頂点Ｐ（ｍ，ｎ）での階調レベル判断処理として式９が実行され、信号Ｓ１（ｘ，ｙ，ｍ，ｎ）が出力される。このとき、この画像信号Ｓ（ｘ，ｙ）とともに、階調補正値記憶手段１４に記憶される画像信号Ｓ（ｘ，ｙ）に対する階調補正値Ｌ（ｔ，ｍ，ｙ）とＬ（ｔ＋１，ｍ，ｙ）と分割点情報記憶手段１３に記憶される画像信号Ｓ（ｘ，ｙ）に対する分割点情報も階調レベル判断手段１０に入力される。
【００５０】
（数３）
Ｓ１（ｘ，ｙ，ｍ，ｎ）＝Ｌ（ｔ，ｍ，ｎ）＋｛Ｌ（ｔ＋１，ｍ，ｎ）−Ｌ（ｔ，ｍ，ｎ）｝＊｛Ｌ（ｔ，ｍ，ｎ） − Ｓ（ｘ，ｙ）｝／ ｛Ｄmax／（Ｔ−１）｝・・・（９）
残りの画素分割点も同様に、それぞれ頂点Ｐ（ｍ＋１，ｎ）について式１０、頂点Ｐ（ｍ，ｎ＋１）について式１１、頂点Ｐ（ｍ＋１，ｎ＋１）について式１２を実行し、階調レベル判断処理を行い、出力信号としてＳ１（ｘ，ｙ，ｍ＋１，ｎ）、Ｓ１（ｘ，ｙ，ｍ，ｎ＋１）、Ｓ１（ｘ，ｙ，ｍ＋１，ｎ＋１）を求める。
【００５１】
（数４）
Ｓ１（ｘ，ｙ，ｍ＋１，ｎ）＝Ｌ（ｔ，ｍ＋１，ｎ）＋｛Ｌ（ｔ＋１，ｍ＋１，ｎ）−Ｌ（ｔ，ｍ＋１，ｎ）｝＊｛Ｌ（ｔ，ｍ＋１，ｎ）−Ｓ（ｘ，ｙ）｝／｛Ｄmax／（Ｔ−１）｝・・・（１０）
Ｓ１（ｘ，ｙ，ｍ，ｎ＋１）＝Ｌ（ｔ，ｍ，ｎ＋１）＋｛Ｌ（ｔ＋１，ｍ，ｎ＋１）−Ｌ（ｔ，ｍ，ｎ＋１）｝＊｛Ｌ（ｔ，ｍ，ｎ＋１）−Ｓ（ｘ，ｙ）｝／｛Ｄmax／（Ｔ−１）｝  ・・・（１１）
Ｓ１（ｘ，ｙ，ｍ＋１，ｎ＋１）＝Ｌ（ｔ，ｍ＋１，ｎ＋１）＋｛Ｌ（ｔ＋１，ｍ＋１，ｎ＋１）−Ｌ（ｔ，ｍ＋１，ｎ＋１）｝＊｛Ｌ（ｔ，ｍ＋１，ｎ＋１）−Ｓ（ｘ，ｙ）｝／｛Ｄmax／（Ｔ−１）｝・・・（１２）
具体的に、図６を用いて最大階調数Ｄmaxを２５５とし、等間隔に最大階調数Ｄmaxを８分割した場合にはＴ＝９となり、３２階調単位で分割されることになる。この場合、例えば入力された信号Ｓ（ｘ，ｙ）が６０であるとき、その両端の階調補正値Ｌについては、階調分割点ｔ＝２及びｔ＝３となる。この場合には、階調分割点ｔ＝２及びｔ＝３に対して記憶されている階調補正値Ｌ（階調補正値Ｌ（２，ｘ，ｙ）、Ｌ（３，ｘ，ｙ））を利用して階調レベル判断処理を行うこととなる。
【００５２】
＜水平方向補間処理＞
次に、水平方向補間手段１１において、水平方向補間処理を行う。水平方向補間手段１１には、階調レベル判断手段１０の出力する信号Ｓ１（ｘ，ｙ，ｍ，ｎ）とともに、分割点情報記憶手段１３からの画像信号Ｓ（ｘ，ｙ）に対する画素分割点の情報として、画素分割点と対象となる画素点との距離が入力される。式１３、１４に示す処理が並列的に行われ、その結果として、信号Ｓ２（ｘ，ｙ，ｎ）、Ｓ２（ｘ，ｙ，ｎ＋１）が出力される。
【００５３】
（数５）
Ｓ２（ｘ，ｙ，ｎ）＝Ｓ１（ｘ，ｙ，ｍ，ｎ）＋｛Ｓ１（ｘ，ｙ，ｍ＋１，ｎ）−Ｓ１（ｘ，ｙ，ｍ，ｎ）｝＊（ｘ−m）／（ｘ／ｍ）・・・（１３）
Ｓ２（ｘ，ｙ，ｎ＋１）＝Ｓ１（ｘ，ｙ，ｍ，ｎ＋１）＋｛Ｓ１（ｘ，ｙ，ｍ＋１，ｎ＋１）−Ｓ１（ｘ，ｙ，ｍ，ｎ＋１）｝＊（ｘ−ｍ）／（ｘ／ｍ）・・・（１４）
＜垂直方向補間処理＞
次に、垂直方向補間手段１２において、垂直方向補間処理を行う。
【００５４】
垂直方向補間手段１２には水平方向補間手段１１からの信号Ｓ２（ｘ，ｙ，ｎ）とともに分割点情報記憶手段１３に記憶される画像信号Ｓ（ｘ，ｙ）に対する画素分割点の情報として、画素分割点と対象となる画素点との距離が入力される。式１５が実行されることにより、垂直方向補間処理が行われ、表示画像信号Ａ（ｘ，ｙ）が出力される。
【００５５】
（数６）
Ａ（ｘ，ｙ）＝Ｓ２（ｘ，ｙ，ｎ）＋｛Ｓ２（ｘ，ｙ，ｎ＋１）−Ｓ２（ｘ，ｙ，ｎ）｝＊（ｙ−ｎ）／（ｙ／ｎ）・・・（１５）
上記垂直方向補間処理後の信号を表示画像信号Ａ（ｘ，ｙ）として、さらに図示しない液晶駆動用信号レベルに変換するレベル変換処理を行った後に、信号Ｖ（ｘ，ｙ）として表示素子に入力される。その後、信号Ｖ（ｘ，ｙ）は列信号電極駆動回路１０１に入力されて、画像信号に応じた高画質画像が表示される。
【００５６】
上述した第１の実施例によれば、画素の位置情報に基づいた補正を行うことで、高画質の液晶表示画可能となる。
【００５７】
［第２の実施例］
次に、本願発明における第２の実施例について説明する。
【００５８】
第１の実施例と同様に、第２の実施例においても図１に示すように、画像信号Ｓ（ｘ,ｙ）と分割点情報記憶手段１３、階調補正値記憶手段１４からの信号に基づいて階調レベル判断手段１０、水平方向補間手段１１、垂直方向補間手段１２により、補間演算の一連の処理が行われる。
【００５９】
分割点情報記憶手段１３では第１の実施例と同様に、表示画面２０上の水平方向を等間隔に（Ｍ−１）分割、垂直方向を等間隔に（Ｎ−１）分割した図７、図８に示す画素分割点の情報が記憶されている。また、階調補正値記憶手段１４には図９に示す階調補正値Ｌが記憶されている。
【００６０】
本実施例において第１の実施例と異なる点は、図９の階調補正値Ｌについては、図１１に示すような低階調部と高階調部について光強度Ｔαの変化が大きく誤差が生じやすい部分に対して細かく補正をし、その他の光強度Ｔαが緩やかに変化する部分に関しては大きな範囲で補正をするようにした点である。このような構成にすることにより、さらに高画質の液晶表示装置を提供することができる。
【００６１】
図９に示すように、前記画素分割点各々に対して画像信号の最大階調数Ｄmaxを不等間隔に（Ｔ−１）分割して、その分割された各階調点に対して求めた各階調補正値をＬとする。この不等間隔の分割された各分割点を階調分割点ｔとする。
【００６２】
ここで、例えばＰ（ｍ，ｎ）では階調補正値Ｌ（ｔ，ｍ，ｎ）と表し、階調分割点ｔについては１≦ｔ≦Ｔとする。ここで、階調分割点ｔと階調分割点（ｔ−１）の差を階調差Ｋ（ｔ）とする。この階調補正値Ｌ（ｔ，ｍ，ｙ）についても、第１の実施の形態と同様に、予め各頂点に対して表示画像面上の光強度分布を均一にする値を設定され、記憶されているものである。
【００６３】
本実施の形態の補間演算の一連の処理について、図１を用いて説明する。
【００６４】
＜階調レベル判断処理＞
第１の実施の形態と同様に、階調レベル判断手段１０に入力信号Ｓ（ｘ，ｙ）が入力されると、入力信号Ｓ（ｘ，ｙ）に対する階調補正値Ｌを
Ｌ（ｔ，ｍ，ｙ）≦Ｓ（ｘ，ｙ）＜Ｌ（ｔ＋１，ｍ，ｙ）
とするとき、階調レベル判断手段１０においては頂点Ｐ（ｍ,ｎ）での階調レベル判断処理として式１６が実行され、信号Ｓ１（ｘ，ｙ，ｍ，ｎ）が出力される。
【００６５】
（数７）
Ｓ１（ｘ，ｙ，ｍ，ｎ）＝Ｌ（ｔ，ｍ，ｎ）＋｛Ｌ（ｔ＋１，ｍ，ｎ）−Ｌ（ｔ，ｍ，ｎ）｝＊｛Ｌ（ｔ，ｍ，ｎ）−Ｓ（ｘ，ｙ）｝／ｋ（ｔ）・・・（１６）
残りの画素分割点も同様に、Ｐ（ｍ＋１，ｎ）については式１７、Ｐ（ｍ，ｎ＋１）については式１８、Ｐ（ｍ＋１，ｎ＋１）については式１９を実行し、階調レベル判断処理を行い、出力信号としてそれぞれＳ１（ｘ，ｙ，ｍ＋１，ｎ）、Ｓ１（ｘ，ｙ，ｍ，ｎ＋１）、Ｓ１（ｘ，ｙ，ｍ＋１，ｎ＋１）を求める。
【００６６】
（数８）
Ｓ１（ｘ，ｙ，ｍ＋１，ｎ）＝Ｌ（ｔ，ｍ＋１，ｎ）＋｛Ｌ（ｔ＋１，ｍ＋１，ｎ）−Ｌ（ｔ，ｍ＋１,ｎ）｝＊｛Ｌ（ｔ，ｍ＋１，ｎ）−Ｓ（ｘ，ｙ））｝／Ｋ（ｔ）・・・（１７）
Ｓ１（ｘ，ｙ，ｍ，ｎ＋１）＝Ｌ（ｔ，ｍ，ｎ＋１）＋｛Ｌ（ｔ＋１，ｍ，ｎ＋１）−Ｌ（ｔ，ｍ,ｎ＋１）｝＊｛Ｌ（ｔ，ｍ，ｎ＋１）−Ｓ（ｘ，ｙ）｝／Ｋ（ｔ）・・・（１８）
Ｓ１（ｘ，ｙ，ｍ＋１，ｎ＋１）＝Ｌ（ｔ，ｍ＋１，ｎ＋１）＋｛Ｌ（ｔ＋１，ｍ＋１，ｎ＋１）−Ｌ（ｔ，ｍ＋１，ｎ＋１）｝＊｛Ｌ（ｔ，ｍ＋１，ｎ＋１）−Ｓ（ｘ，ｙ）｝／Ｋ（ｔ）・・・（１９）
図１０を用いて最大階調数Ｄmaxを２５５とし、不等間隔に最大階調数Ｄmaxを１０分割した場合の第２の実施例の階調補正値Ｌについて、具体的に説明する。
【００６７】
最大階調数Ｄmaxを１０分割した場合にはＴ＝１１となる。不等間隔に分割する場合、その間隔は任意に決めることができるが、階調変化の多い部分については細かく分割し、階調変化の緩やかな部分については変化の多い部分と比較して大きな間隔で分割される。
【００６８】
図１０では、階調変化の大きい階調数０〜６３と階調数１９２〜２５５までを１６階調単位で分割し、変化の緩やかな階調数６４〜１９１までを６４階調単位で分割する例を示している。また、ｔとｔ−１の差が階調差Ｋ（ｔ）であるため、例えばｔ＝６（階調数１２７）、ｔ＝５（階調数６４）の階調差Ｋ（６）は６４となり、また、ｔ＝１０（階調数２３９）、ｔ＝９（階調数２２４）の階調差Ｋ（１０）は１６となる。
【００６９】
例えば、入力された階調数が１００であるとき、その両端の階調分割点ｔ＝５及びｔ＝６に対して記憶されている階調補正値Ｌ（５，ｘ，ｙ）及びＬ（６，ｘ，ｙ）を利用する。
【００７０】
＜水平方向補間処理＞
次に、水平方向補間手段１１において、水平方向補間処理を行う。水平方向補間手段１１には、階調レベル判断処理により得られた信号Ｓ１（ｘ，ｙ，ｍ，ｎ）、Ｓ１（ｘ，ｙ，ｍ＋１，ｎ）、Ｓ１（ｘ，ｙ，ｍ，ｎ＋１）、Ｓ１（ｘ，ｙ，ｍ＋１，ｎ＋１）とともに、分割点情報記憶手段１３から画像信号Ｓ（ｘ，ｙ）に対する画素分割点と対象となる画素点との距離が入力される。水平方向補間手段１１では、式２０、式２１がそれぞれ並列的に実行され、その結果はＳ２（ｘ，ｙ，ｎ）、Ｓ２（ｘ，ｙ，ｎ＋１）として出力される。
【００７１】
（数９）
Ｓ２（ｘ，ｙ，ｎ）＝Ｓ１（ｘ，ｙ，ｍ，ｎ）＋｛Ｓ１（ｘ，ｙ，ｍ＋１，ｎ）−Ｓ１（ｘ，ｙ，ｍ，ｎ）｝＊（ｘ−ｍ）／（ｘ／ｍ）・・・（２０）
Ｓ２（ｘ，ｙ，ｎ＋１）＝Ｓ１（ｘ，ｙ，ｍ，ｎ＋１）＋｛Ｓ１（ｘ，ｙ，ｍ＋１，ｎ＋１）−Ｓ１（ｘ，ｙ，ｍ，ｎ＋１）｝＊（ｘ−ｍ）／（ｘ／ｍ）・・・（２１）
＜垂直方向補間処理＞
水平方向補間処理により得られた信号Ｓ２（ｘ，ｙ，ｎ）、Ｓ２（ｘ，ｙ，ｎ＋１）とともに、分割点情報記憶手段１３から画像信号Ｓ（ｘ，ｙ）に対する画素分割点と対象となる画素点との距離が垂直方向補間手段１２に入力され、垂直方向補間処理として式２２が実行されてその結果として信号Ｓ３（ｘ，ｙ）として出力される。
【００７２】
（数１０）
Ｓ３（ｘ，ｙ）＝Ｓ２（ｘ，ｙ，ｎ）＋｛Ｓ２（ｘ，ｙ，ｎ＋１）−Ｓ２（ｘ，ｙ，ｎ）｝＊（ｙ−ｎ）／（ｙ／ｎ）・・・（２２）
上記垂直方向補間処理後信号を表示画像信号とし、さらに省略する液晶駆動用信号レベルに変換するレベル変換処理を行った後に、信号Ｖ（ｘ，ｙ）として表示素子に入力され、画像信号に応じた高画質画像表示がおこなわれる。
【００７３】
上述した第２の実施例によれば、画素の位置情報にあわせた補正を行うとともに、光強度Ｔαの変化量に基づく補正を行っているので、さらに光強度分布の不均一性を改善することができる。
【００７４】
［第３の実施例］
以下、図面を参照して本発明の第３の実施例について説明する。
【００７５】
図１２に示すのは、第３の実施例に係る液晶表示装置１１０の補正処理を説明するブロック図である。第３の実施例に係る液晶表示装置１１０は階調レベル判断手段１０、水平方向補間手段１１、垂直方向補間手段１２、分割点情報記憶手段１３、階調補正値記憶手段１４及び階調補正手段１５を備えている。
【００７６】
第３の実施例に係る液晶表示装置１１０の補正処理においても、図１に示す液晶表示装置１００と同様に、画像信号Ｓ（ｘ，ｙ）と分割点情報記憶手段１３、階調補正値記憶手段１４からの信号に基づいて階調レベル判断手段１０、水平方向補間手段１１、垂直方向補間手段１２により、補間演算の一連の処理が行われる。
【００７７】
図１２に示す第３の実施例に係る液晶表示装置１１０を、図１に示した液晶表示装置１００と比較すると、液晶表示装置１１０では階調補正手段１５を有する点で異なる。この階調補正手段１５は、入力されるシェーディング補正信号に対して一意に関連付けられて記憶される表示画像信号に基づいて階調補正している。
【００７８】
具体的には、第３の実施例の液晶表示装置１１０では、垂直方向補間手段１２の出力信号は表示画像信号Ａ（ｘ，ｙ）であるのに対し、本実施例における垂直方向補間手段１２の出力信号は、シェーディング補正信号Ａ１（ｘ，ｙ）として説明する。なお、階調補正手段１５は、このシェーディング補正信号Ａ１（ｘ，ｙ）を入力信号とする。また、階調補正手段１５の出力信号は、表示画像信号Ａ２（ｘ，ｙ）とする。なお、階調レベル判断処理、水平方向補間処理、垂直方向補間処理については上述した第１の実施例と同様の処理であるため、垂直方向補間処理に続く階調補正処理について以下に説明する。
【００７９】
＜階調補正処理＞
階調補正手段１５には、垂直方向補間手段１２からのシェーディング補正信号Ａ１（ｘ，ｙ）が入力され、図１２に図示しないＬＵＴを用いて階調補正処理が行われる。
【００８０】
ここで、ＬＵＴの一例を図１３に示す。ＬＵＴとしては様々な形態が想定できるが、図１３に示すＬＵＴは、指定アドレスに対してデータを一義的に定めるメモリである。図１３の階調補正手段１５で使用するＬＵＴは、階調補正信号をアドレスとしている。ここで、Ｖ−Ｔ特性を補正する逆特性をＶ‘−Ｔ’特性とする。このとき、Ｖに相当するＡ１（ｘ，ｙ）をアドレスとして入力されたとき、Ｔに相当する表示画像信号Ａ２（ｘ，ｙ）を出力とすることで階調補正処理が行なわれる。なお、階調補正には、Ｖ‘−Ｔ’特性の代表点による近似として、例えば直線近似やスプライン関数等を用いた曲線近似を用いても良い。
【００８１】
階調補正手段１５では、まず、階調レベル判断処理、水平方向補間処理及び垂直方向補間処理を無効にする。具体的には、階調補正手段１５に入力されるまでの処理で行なわれたシェーディング補正を無効にする。階調レベル判断処理から垂直方向補間処理によるシェーディング補正を無効にした状態では、Ａ２（ｘ，ｙ）＝Ｓ（ｘ，ｙ）となる。
【００８２】
続いて、Ｖ‘−Ｔ’特性補正すなわち階調補正を行なう。ここで、Ｖ‘−Ｔ’特性補正で用いるＶ−‘Ｔ’特性は、予め以下のような手順で求めてＬＵＴに記憶しておく。
【００８３】
Ｖ−‘Ｔ’特性を求めるために、まず、図７の面分割点のうち、最大の光変調が得られる点を参照点として設定する。ここで、参照点は、補正誤差を最小とするためには、最大の光変調が得られる点とすることが好ましい。参照点が求められると、各参照点におけるＶ‘−Ｔ’特性から、階調補正処理のためのデータを生成し、としてＬＵＴとして記憶させる。このＬＵＴで記憶される階調補正処理のためのデータは、表示画像信号Ａ２（ｘ，ｙ）に対する光強度変調が線型になるものとして生成することで、図１３に示すような特性が求められる。このＶ‘−Ｔ’特性は、取り得る全ての各表示画像信号Ａ２（ｘ，ｙ）に対して予め照度計や輝度計等の光強度測定器で測定し、表示画像信号Ａ２（ｘ，ｙ）に対して設定する。
【００８４】
続いて、階調補正手段１５は、無効としていた階調レベル判断処理、水平方向補間処理及び垂直方向補間処理でされたシェーディング補正を有効にするとともに、画像信号を面内で一様なレベルの信号とする。この一様なレベルは、上述した階調レベル判断処理で求めた分割点ｔのレベルである。
【００８５】
ここで、上述した第１及び第２の実施例では、階調補正値Ｌ（ｔ，ｍ，ｙ）は、予め各頂点に対して表示画像面上の光強度分布を均一にする値を設定され、記憶されていた。しかしながら、本実施例においては、シェーディング補正と階調補正とを別々の処理により行なう。そのため、第１及び第２の実施例で設定された階調補正値を利用することはできない。従って、本第３の実施例において使用する階調補正値Ｌ（ｘ，ｙ，ｔ）は、以下のような方法により求めている。
【００８６】
具体的には、参照点での光強度を測定し、この測定値をＨｒｅｆ（ｘ，ｙ，ｔ）とする。同様に各面分割点での光強度を測定し、この測定値をＨ（ｘ，ｙ，ｔ）とする。このとき、階調補正値Ｌ（ｘ，ｙ，ｔ）は、
Ｌ（ｘ，ｙ，ｔ）＝Ｈｒｅｆ（ｘ，ｙ，ｔ）／Ｈ（ｘ，ｙ，ｔ）
として得られる。このようにして求められる階調補正値Ｌ（ｘ，ｙ，ｔ）を予め算出し、記憶しておく。階調補正値Ｌ（ｘ，ｙ，ｔ）は、例えば図１４に示すような結果に得られる。
【００８７】
本実施例では、上述したように参照点での測定値に基づいて階調補正値Ｌ（ｘ，ｙ，ｔ）を設定し、階調補正処理をシェーディング補正処理と分けて行なうことで、第１の実施例の場合と比較して、階調分割点を減らすことができる。具体的には、垂直方向補間処理までにおいて階調分割点を使用したシェーディング補正が実施され、階調補正手段１５には、その出力信号が入力される。これにより、階調補正手段１５では、階調分割点の情報は必要とせず、単に入力と出力の関係に基づく図１３に示すＶ‘−Ｔ’特性のみにより、階調補正処理がされる。本実施例ではこのように構成することにより、面内で分布した階調特性の補正処理を容易に実現することができる。
【００８８】
また、上述した実施例では、参照点を面分割点のうち最大の光変調が得られる点としたが、これに限られない。
【００８９】
上述した本実施例では、図１４では第１の実施例と同様に等間隔の階調分割点の場合に対応するものである。しかし、第２の実施例の場合に対応して、階調分割点を不等間隔することも可能である。この場合、第２の実施例と同様であるためその処理に関する説明は省略するが、階調分割点を不等間隔に設定した場合、例えば図１５に示すように設定された階調分割点について補正を行っても良い。
【００９０】
図１５に示したように階調分割点を不等間隔にすることで、図１４のように階調分割点を等間隔にする場合と比較して、さらに光強度分布の不均一性を改善することができる。
【図面の簡単な説明】
【００９１】
【図１】本発明の液晶表示装置の補正処理を示すブロック図である。
【図２】一般的な液晶表示装置を示す図である。
【図３】液晶表示装置の列信号電極駆動回路を説明する図である。
【図４】液晶表示装置の行操作電極駆動回路を説明する図である。
【図５】本発明の第１の実施例の液晶表示装置の階調補正値と階調分割点の関係を示すグラフである。
【図６】本発明の第１の実施例の液晶表示装置の階調補正値と階調分割点の関係の一例を示すグラフである。
【図７】本発明の液晶表示装置の表示画面を説明する図である。
【図８】図７の表示画面を詳細に説明する図である。
【図９】本発明の第２の実施例の液晶表示装置の階調補正値と階調分割点の関係を示すグラフである。
【図１０】本発明の第２の実施例の液晶表示装置の階調補正値と階調分割点の関係の一例を示すグラフである。
【図１１】液晶の非線形なＶＴ特性を示す図である。
【図１２】本発明の第３の実施例の液晶表示装置の補正処理を示すブロック図である。
【図１３】本発明の第３の実施例の液晶表示装置の階調補正値と階調分割点の関係を示すグラフの一例である。
【図１４】本発明の第３の実施例の液晶表示装置の光階調補正情報を示す図である。
【図１５】本発明の第３の実施例の液晶表示装置の階調補正値と階調分割点の関係を示すグラフの他の例である。
【図１６】従来の液晶表示装置の補正処理について示すブロック図である。
【符号の説明】
【００９２】
１０…階調レベル判断手段
１１…水平方向補間手段
１２…垂直方向補間手段
１３…分割点情報記憶手段
１４…階調補正値記憶手段
１５…階調補正手段
２０…表示画面
１００, １１０…液晶表示装置
１０１…列信号電極駆動回路
１０２…行走査電極駆動回路
１０３…画素部
１０４…トランジスタ
１０５…補助容量
１０６…画素電極
１０７…共通電極
１０８…液晶
２０１…フリップフロップ
２０２…シフトレジスタ
２０３…アナログスイッチ
２０５…フリップフロップ
２０６…シフトレジスタ
３０１…ガンマ補正手段
３０２…重量シェーディング補正手段
３０３…変調シェーディング補正手段
【図１】
2005157285.tif 000003
【図２】
2005157285.tif 000004
【図３】
2005157285.tif 000005
【図４】
2005157285.tif 000006
【図５】
2005157285.tif 000007
【図６】
2005157285.tif 000008
【図７】
2005157285.tif 000009
【図８】
2005157285.tif 000010
【図９】
2005157285.tif 000011
【図１０】
2005157285.tif 000012
【図１１】
2005157285.tif 000013
【図１２】
2005157285.tif 000014
【図１３】
2005157285.tif 000015
【図１４】
2005157285.tif 000016
【図１５】
2005157285.tif 000017
【図１６】
2005157285.tif 000018